(57)【特許請求の範囲】
【請求項１】
熱可塑性繊維を含有する不織布からなる長方形状のマスク本体（１１）に前記マスク本体の長辺と平行な複数本の襞（１）を設けて前記マスク本体を前記マスク本体の短辺方向に開拡させ、着用時に鼻を横切る形状維持部材（２）を前記マスク本体の長辺近傍に沿って設け、着用時の顔面形状に適合させるマスク（１０）であって、
着用時に芳香剤又は治療剤を含有するパッド（９）を収納する収納部（４）を鼻孔より上の前記鼻の上部に当接するよう、前記複数本の襞のうち、前記形状維持部材に隣接する１本の襞（１ａ）の長辺方向における途中を溶融接着して前記襞の開拡を拘束して構成したことを特徴とするマスク。
【発明の詳細な説明】
【０００１】
【発明の属する技術分野】
本発明はマスクに係わり、特に所望の芳香剤や治療剤等を含有するパッド等を安定収納可能なマスクに関するものである。
【０００２】
【従来の技術】
従来のマスクは、図５に示すように、ガーゼのような通気性素材を複数枚重ねて縫い合わせて長方形状のマスク本体８１を構成し、マスク本体８１の両短辺を筒状の紐通し８２にしてゴムひも製の耳掛けひも３を挿通し、マスク本体８１よりやや小さく折りたたんだガーゼのような通気性素材を当て材８３として、マスク本体８１の内側に当てるものがある。
【０００３】
このマスク８は、着用時、耳掛けひも３を通した筒状の紐通し８２が耳掛けひも３の張力で凝縮変形し、この紐通し８２に引かれてマスク本体８１も鼻、口の高まりにそって自然な山形形状を保つようになる。
【０００４】
また、近年は不織布製の使い捨てに適するマスクが市場に多く出まわるようになっている。この不織布製のマスクは、図４に示すように、長方形状のマスク本体７１は不織布数枚を重ねて構成され、着用時に鼻の近傍を横切る鼻金あるいはノーズブリッジといわれる形状維持部材２がマスク本体７１の長辺側に設けられ、マスク本体７１の両短辺の端部近傍にゴム製の耳掛けひも３が固定され、マスク本体７１の長辺と平行な複数本の襞１ａ、１ｂ、１ｃが設けられている。
【０００５】
このマスク７は、耳掛けひも３がマスク本体７１の両短辺の端部近傍に固定されているが、マスク本体７１の長辺と平行に複数本設けられている襞１ａ、１ｂ、１ｃが、マスク本体７１をその短辺方向に開拡させて、鼻、口の高まりにそって自然な山形形状を保つようになるので着用時の顔面形状に適合する。  この不織布製のマスク７は安価に提供できるので使い捨てに適し、衛生面から今後のマスク市場における需要の増加が見込まれている。
【０００６】
【発明が解決しようとする課題】
上述のマスク８、マスク７は、いずれもそれなりに、鼻・口周りの保湿に有効であり、また、ほこりや花粉、ウイルス等の侵入を削減することができる。
【０００７】
しかし、近年増加の一途をたどっている花粉症患者等にとって、単に花粉の侵入を遮断、削減するだけでなく、マスク着用中に治療効果あるいは予防効果も得られるマスクの開発が望まれていた。
【０００８】
本発明は、上記従来の要望を解決するためになされたもので、所望の治療剤や芳香剤等を含有するパッド等を安定収納可能なマスクを提供することを目的とする。
【０００９】
【課題を解決するための手段】
上記の目的を達成するために、本発明によるマスクは、熱可塑性繊維を含有する不織布からなる長方形状のマスク本体にマスク本体の長辺と平行な複数本の襞を設けてマスク本体をマスク本体の短辺方向に開拡させ、着用時に鼻を横切る形状維持部材をマスク本体の長辺近傍に沿って設け、着用時の顔面形状に適合させるマスクであって、着用時に芳香剤又は治療剤を含有するパッドを収納する収納部を鼻孔より上の鼻の上部に当接するよう、複数本の襞のうち、形状維持部材に隣接する１本の襞の長辺方向における途中を溶融接着して襞の開拡を拘束して構成したものである。
【００１０】
このような本発明のマスクによれば、形状維持部材に隣接する１本の襞の長辺方向における途中に設けられる鼻孔より上の鼻の上部に当接するように配設された収納部に、所望の治療剤又は芳香剤を含有するパッドを安定して収納可能となり、花粉症患者等にとって、単に花粉の侵入を遮断、削減するだけでなくパッドから供給される所望の治療剤又は芳香剤により、マスク着用中に治療効果あるいは予防効果も得られる。
【００１１】
【発明の実施の形態】
以下に、本発明に係わるマスクの実施の形態例について図面を参照して詳述する。
【００１２】
図１および図２に示すように、本発明のマスク１０は、ガーゼ、不織布等、通気性素材からなる長方形状のマスク本体１１に、マスク本体１１の長辺と平行な３本の襞１ａ、１ｂ、１ｃを設け、マスク本体１１をその短辺方向に開拡させて着用時の顔面形状に適合させるマスクであって、３本の襞１ａ、１ｂ、１ｃの少なくとも１本に襞１の開拡を拘束して芳香剤や治療剤等を含有するパッド９を収納する収納部４が設けられるものである。収納部４は、襞１の一部に縫製・接着等公知の方法で襞１の開拡を拘束する固定部５ａ、５ｂを設けて形成される。
【００１３】
なお襞１の数は３本が好適であるが、２本、４本等、他の数でも好適である。そして収納部４が形成される襞１の向きは、図２および図３（ｂ）に示すように、外表面側では襞山１ｍが着用時に下向きとなるよう選択される。
【００１４】
本発明のマスク１０には、長辺側の両端に耳掛けひも３、３と、マスク本体１１の上部の長辺側に着用時に鼻の近傍を横切る鼻金あるいはノーズブリッジといわれる変形性を有する形状維持部材２が設けられている。
【００１５】
本発明のマスク本体１１には、複数枚重ねた通気性素材を重ね合わせて固定するとともに３本の襞１ａ、１ｂ、１ｃの両端を固定するため、縫製・接着・溶着等公知の方法で外周部６（６ａ、６ｂ、６ｃ、６ｄ）が形成される。
【００１６】
本発明のマスク１０は、マスク本体１１を構成する通気性素材として不織布が好適であり、特に熱可塑性繊維を含有する不織布が採用される。これにより、複数枚の不織布を重ね合わせるとともに、３本の襞１ａ、１ｂ、１ｃの両端を固定するため、超音波接着によって外周部６（６ａ、６ｂ、６ｃ、６ｄ）が形成される。この際、ノーズブリッジ２はマスク本体１１の上部外周部６ａに内包され、耳掛けひも３、３はマスク本体１１の両横外周部６ｂ、６ｄに接着固定される。
【００１７】
なお、外周部６の形成、３本の襞１ａ、１ｂ、１ｃの両端の固定および耳掛けひも３の固定は、超音波接着に限らず熱融着あるいはホットメルト型接着剤を使用しても好適である。
【００１８】
パッド９を収納する収納部４は、図１、図２に示すように、複数本の襞１ａ、１ｂ、…のうち、ノーズブリッジ２に隣接する襞１ａに設けられるとより好適であり、襞１ａの中央部に幅３〜６ｃｍ、好ましくは幅４〜５ｃｍのポケットとなるよう、２ヶ所の固定部５（５ａ、５ｂ）で、襞１ａを構成している３枚に重なった不織布（なお、1枚の不織布は厳密には複数枚、多くは３枚の性質の異なる不織布からなる）を溶融接着して構成される。このときも超音波接着が好適であるが、熱融着あるいはホットメルト型接着剤を使用しても好適である。また、襞１ａ以外の襞１ｂ、１ｃ、…のうちいずれかに収納部４を設けることも可能である。
【００１９】
本発明によれば、図３（ａ）、（ｂ）に示すように、別途提供された治療剤や芳香剤等を含有するパッド９を、襞１ａの中央部に設けられた収納部４に収納してマスクを着用する。ノーズブリッジ２を適宜変形させて、鼻上部と頬の形状にそわせ、マスク本体１１の顎付近を下方に引くと、襞１ａは開拡しないが、襞１ｂ、襞１ｃが、マスク本体１１をその短辺方向すなわち下方向に開拡させて、マスク本体１１全体としては、鼻、口の高まりにそって自然な山形形状を保つようになるので着用時の顔面形状に適合する。
【００２０】
襞１ａの中央部に設けられた収納部４には、治療剤や芳香剤等を含有するパッド９を収納しているので、花粉症患者等にとって、単に花粉の侵入を遮断、削減するだけでなく、マスク着用中に治療効果あるいは予防効果も得られる。
【００２１】
なお、実施例では花粉症患者に例をとって説明したが、本発明によるマスクの利用対象者は花粉症患者に限定されず、収納部４に収納するパッド９として、抗菌剤を含有したパッド９、微細な炭粉末等脱臭効果を有する成分を含有したパッド９、ミント等のハーブ成分やフルーツの香気成分を含有したパッド９、フィトンチッドを含有したパッド９等から適宜選択することにより、清潔感の獲得、リラクセーション効果を求める人々の要望にも応えることができる。
【００２２】
【発明の効果】
以上の説明からも明らかなように、本発明によるマスクによれば、熱可塑性繊維を含有する不織布からなる長方形状のマスク本体にマスク本体の長辺と平行な複数本の襞を設けてマスク本体をマスク本体の短辺方向に開拡させ、着用時に鼻を横切る形状維持部材をマスク本体の長辺近傍に沿って設け、着用時の顔面形状に適合させるマスクであって、着用時に芳香剤又は治療剤を含有するパッドを収納する収納部を鼻孔より上の鼻の上部に当接するよう、複数本の襞のうち、形状維持部材に隣接する１本の襞の長辺方向における途中を溶融接着して襞の開拡を拘束して構成したので、鼻孔より上の鼻の上部に当接するように配設された収納部に、所望の治療剤又は芳香剤を含有するパッドを安定して収納可能となり、パッドから供給される所望の治療剤又は芳香剤により、マスク着用中に治療効果あるいは予防効果も得られる。
【図面の簡単な説明】
【図１】  本発明によるマスクの裏面を示した図である。
【図２】  本発明によるマスクの表面を示した図である。
【図３】  （ａ）は本発明によるマスクの着用状態を説明する図、（ｂ）は本発明によるマスクの要部を拡大した部分断面図である。
【図４】  従来のマスクを示した図である。
【図５】  従来のマスクを示した図である。
【符号の説明】
１（１ａ、１ｂ、…）・・・襞
１ｍ・・・襞山
１０・・・マスク
１１・・・マスク本体
２・・・形状維持部材
３・・・耳掛けひも
４・・・収納部
５・・・固定部
６・・・（マスク本体の）外周部
７・・・マスク
７１・・・マスク本体
８・・・マスク
８１・・・マスク本体
８２・・・紐通し
８３・・・当て材
９・・・パッド
【図１】
0003766815.tif 000002
【図２】
0003766815.tif 000003
【図３】
0003766815.tif 000004
【図４】
0003766815.tif 000005
【図５】
0003766815.tif 000006